(57)【要約】【課題】足の爪先側に荷重がかかりやすい靴の提供。【解決手段】靴のミッドソールは、低硬度部２０、高硬度部２２及び傾斜面２４を備えている。低硬度部２０及び高硬度部２２は気泡を含んでおり、ＥＶＡを基材ポリマーとしている。傾斜面２４は、爪先側から踵側に向かって上向きに傾斜している。更に、傾斜面２４は、インサイドからアウトサイドに向かって上向きに傾斜している。傾斜面２４の上側であって、傾斜面２４の爪先側かつインサイドには、低硬度部２０が存在している。傾斜面２４の下側であって、傾斜面２４の踵側かつアウトサイドには、高硬度部２２が存在している。低硬度部２０の厚みは、傾斜面２４に沿って、踵側から爪先側に向かって徐々に大きくなっている。高硬度部２２の厚みは、傾斜面２４に沿って爪先側から踵側に向かって徐々に大きくなっている。【選択図】図５
2008132008.tif 000002
【特許請求の範囲】
【請求項１】
ミッドソールとアウトソールとを有し、
このミッドソールが、低硬度部と、高硬度部と、傾斜面とを備えており、
この傾斜面の爪先側に低硬度部が存在し、この傾斜面の踵側に高硬度部が存在し、
上記ミッドソールの長さ線上において爪先側端から踵側端へこの長さ線の距離の２５％を移動した位置に、上記低硬度部、上記高硬度部及び上記傾斜面が存在する靴。
【請求項２】
上記低硬度部の厚みが上記傾斜面に沿って踵側から爪先側に向かって徐々に大きくなっており、上記高硬度部の厚みが上記傾斜面に沿って爪先側から踵側に向かって徐々に大きくなっている請求項１に記載の靴。
【請求項３】
上記傾斜面のインサイドに低硬度部が存在し、上記傾斜面のアウトサイドに高硬度部が存在する請求項１又は２に記載の靴。
【請求項４】
上記低硬度部の厚みが上記傾斜面に沿ってアウトサイドからインサイドに向かって徐々に大きくなっており、上記高硬度部の厚みが上記傾斜面に沿ってインサイドからアウトサイドに向かって徐々に大きくなっている請求項１から３のいずれかに記載の靴。
【請求項５】
上記傾斜面が、インサイドからアウトサイドに向かって上向きに傾斜しており、且つ、爪先側から踵側に向かって上向きに傾斜している請求項１から４のいずれかに記載の靴。
【請求項６】
上記低硬度部の硬度ＨＬの高硬度部の硬度ＨＨに対する比（ＨＬ／ＨＨ）が、０．２０以上０．９０以下である請求項１から５のいずれかに記載の靴。
【発明の詳細な説明】
【技術分野】
【０００１】
本発明は、ゴルフ、テニス、スカッシュ、フィールドホッケー、バスケットボール、エアロビクス体操等に適した靴に関する。
【背景技術】
【０００２】
靴は、アウトソール、ミッドソール、インソール、アッパー等から構成されている。ミッドソールは、気泡を含むポリマー成形体からなる。通常のミッドソールには、基材ポリマーとして、エチレン−酢酸ビニル共重合体（ＥＶＡ）が用いられている。ミッドソールは、衝撃吸収性に寄与する。実開平２−１３４００３号公報には、多層構造のミッドソールを備え、衝撃吸収性とトラクション性とに優れた靴が開示されている。
【０００３】
ゴルファーがゴルフボールを打撃する際は、左右の足先を結ぶ線が目標方向とほぼ平行となるようにアドレスする。アドレスでは、ゴルフクラブのヘッドはゴルフボールの近くに位置する。この状態からゴルファーはテイクバックを開始し、ヘッドを右へ、次いで上へと振り上げる。最もヘッドが振り上げられた位置は、トップ位置と称される。トップ位置からダウンスイングが開始されてヘッドが振り下ろされ、ヘッドがゴルフボールと衝突する。衝突後、ゴルファーはゴルフクラブを左へ、次いで上へと振り抜き、フィニッシュを迎える。
【０００４】
トップ位置からフィニッシュにかけて、ゴルファーは左足を軸としてボディターンを行う。同時にゴルファーは、右足で地面を蹴ってその力をゴルフボールに伝える。つまり、右利きのゴルファーは、左足を軸足として使い、右足を蹴足として使う。左利きゴルファーの場合は、右足を軸足として使い、左足を蹴足として使う。
【特許文献１】実開平２−１３４００３号公報
【発明の開示】
【発明が解決しようとする課題】
【０００５】
本発明者は、上級者とアベレージゴルファーとの間のスイングの相違を詳細に分析した。その結果、プロゴルファー等の上級者の方が、爪先側に体重をかける度合いが大きいという新たな知見が得られた。本発明者は、爪先側に体重がかかりやすい靴がスイングを安定化しうるという新たな技術思想を見出した。
【０００６】
他のスポーツにおいても、足の爪先側に体重がかかる動作が見られる。テニス及びスカッシュでは、ラケットをスイングするときに、足の爪先側に体重がかかる。フィールドホッケーでは、スティックをスイングするときに、足の爪先側に体重がかかる。バスケットボール及びエアロビクス体操では、左右反転動作のときに、足の爪先側に体重がかかる。これらのスポーツにおいても、動作に適した靴が望まれている。
【０００７】
本発明の目的は、足の爪先側に荷重がかかりやすい靴の提供にある。
【課題を解決するための手段】
【０００８】
本発明に係る靴は、ミッドソールとアウトソールとを有する。このミッドソールは、低硬度部と、高硬度部と、傾斜面とを備えている。この傾斜面の爪先側に低硬度部が存在している。この傾斜面の踵側に高硬度部が存在している。上記ミッドソールの長さ線上において爪先側端から踵側端へこの長さ線の距離の２５％を移動した位置に、上記低硬度部、上記高硬度部及び上記傾斜面が存在する。
【０００９】
好ましくは、上記低硬度部の厚みは上記傾斜面に沿って踵側から爪先側に向かって徐々に大きくなっている。好ましくは、上記高硬度部の厚みは上記傾斜面に沿って爪先側から踵側に向かって徐々に大きくなっている。
【００１０】
好ましくは、上記傾斜面のインサイドに低硬度部が存在し、上記傾斜面のアウトサイドに高硬度部が存在する。
【００１１】
好ましくは、上記低硬度部の厚みは上記傾斜面に沿ってアウトサイドからインサイドに向かって徐々に大きくなっている。好ましくは、上記高硬度部の厚みは上記傾斜面に沿ってインサイドからアウトサイドに向かって徐々に大きくなっている。
【００１２】
好ましくは、上記傾斜面は、インサイドからアウトサイドに向かって上向きに傾斜しており、且つ、爪先側から踵側に向かって上向きに傾斜している。
【００１３】
上記低硬度部の硬度ＨＬの高硬度部の硬度ＨＨに対する比（ＨＬ／ＨＨ）が、０．２０以上０．９０以下である請求項１から５のいずれかに記載の靴。
【発明の効果】
【００１４】
本発明に係る靴では、体重が加わったときに、ミッドソールの上面が、爪先側から踵側に向かって上向きに傾斜しやすい。この傾斜により、着用者は、足の爪先側に体重をかけやすい。
【発明を実施するための最良の形態】
【００１５】
以下、適宜図面が参照されつつ、好ましい実施形態に基づいて本発明が詳細に説明される。
【００１６】
図１は、本発明の一実施形態に係るゴルフ靴２が示された一部切り欠き側面図である。このゴルフ靴２は、アッパー４及び底部６を備えている。底部６は、インソール８、ミッドソール１０及びアウトソール１２からなる。インソール８は、ミッドソール１０と積層されている。ミッドソール１０は、アウトソール１２と積層されている。アウトソール１２は、その下面に、下方に向けて突出する多数の突起１４を備えている。アッパー４の材質及び構造は、既知のアッパーのそれと同等である。インソール８の材質及び構造は、既知のインソールのそれと同等である。アウトソール１２の材質及び構造は、既知のアウトソールのそれと同等である。
【００１７】
図２は、図１のゴルフ靴２のミッドソール１０が示された平面図である。図２は、ミッドソール１０の上面を示している。このミッドソール１０は、ベース１６と、このベース１６の外縁に位置する側壁１８とを備えている。このミッドソール１０は、右足用である。左足用のミッドソールの形状は、図２に示された形状が左右反転した形状である。
【００１８】
図３は図２のIII−III線に沿った拡大断面図であり、図４は図２のIV−IV線に沿った拡大断面図であり、図５は図２のＶ−Ｖ線に沿った拡大断面図である。図３において、左側がインサイドであり、右側がアウトサイドである。図４において、左側がインサイド且つ爪先側であり、右側がアウトサイド且つ踵側である。図５において、左側が爪先側であり、右側が踵側である。III−III線、IV−IV線及びＶ−Ｖ線は、後述される位置Ｐを通る。  
【００１９】
このミッドソール１０は、気泡を含むポリマー成形体からなる。ミッドソール１０の典型的な基材ポリマーは、ＥＶＡである。ＥＶＡにおける酢酸ビニル含有量は、１０質量％以上が好ましく、１５質量％以上がより好ましい。ＥＶＡにおける酢酸ビニル含有量は、４０質量％以下が好ましく、３０質量％以下がより好ましく、２５質量％以下が特に好ましい。ミッドソールの基材ポリマーとして、ＥＶＡとポリオレフィンとが併用されることが好ましい。ポリオレフィンは、衝撃吸収性及び反発性に寄与しうる。この観点から、基材ポリマーの全量に対するポリオレフィンの量は５質量％以上が好ましく、１０質量％以上がより好ましい。コスト及び接着性の観点から、ポリオレフィンの量は８０質量％以下が好ましく、７０質量％以下がより好ましく、１５質量％以下が特に好ましい。好ましいポリオレフィンとしては、エチレン−オクテン共重合体、エチレン−ブテン共重合体、ポリプロピレン及びポリエチレンが例示される。
【００２０】
ミッドソール１０が、独立気泡を含んでもよく、連続気泡を含んでもよい。形状復元力及び非吸水性の観点から、独立気泡が好ましい。気泡は、通常は熱分解型発泡剤の発泡によって形成される。用いられる熱分解型発泡剤としては、アゾ化合物（例えばアゾジカルボンアミド）、ニトロソ化合物（例えばジニトロソペンタメチレンテトラミン）及びトリアゾール化合物が例示される。ミッドソール１０の発泡倍率（気泡が存在する場合の密度に対する気泡が存在しない場合の密度の比）は、２倍以上が好ましく３倍以上がより好ましい。発泡倍率は、３０倍以下が好ましく、１５倍以下がより好ましく、１０倍以下が特に好ましい。
【００２１】
このミッドソール１０は、低硬度部２０及び高硬度部２２を備えている。低硬度部２０の硬度は、高硬度部２２の硬度よりも小さい。低硬度部２０の弾性率は、高硬度部２２の弾性率よりも小さい。ミッドソール１０に圧縮荷重が加わったとき、低硬度部２０は高硬度部２２よりも変形しやすい。低硬度部２０が、互いの硬度が異なる２以上の部位からなってもよい。高硬度部２２が、互いの硬度が異なる２以上の部位からなってもよい。
【００２２】
このミッドソール１０はさらに、傾斜面２４を備えている。傾斜面２４は、平面である。傾斜面２４は、低硬度部２０と高硬度部２２との境界である。傾斜面２４は、低硬度部２０と高硬度部２２との境界の一部を形成している。傾斜面２４は、水平方向に対して傾斜している。この実施形態では、傾斜面２４は、インサイドからアウトサイドに向かって上向きに傾斜していると同時に、爪先側から踵側に向かって上向きに傾斜している。傾斜面２４の上側であって、傾斜面２４のインサイド且つ爪先側には、低硬度部２０が存在している。傾斜面２４の下側であって、傾斜面２４のアウトサイド且つ踵側には、高硬度部２２が存在している。高硬度部２２は、低硬度部２０のインサイドにも存在している。以下、低硬度部２０よりもインサイドにある高硬度部２６は、「内側高硬度部」と称される。高硬度部２２は、低硬度部２０の爪先側にも存在している。以下、低硬度部２０よりも爪先側にある高硬度部２７は、「爪先側高硬度部」と称される。
【００２３】
低硬度部２０の厚みは、傾斜面２４に沿って、踵側から爪先側に向かって徐々に大きくなっている。高硬度部２２の厚みは、傾斜面２４に沿って爪先側から踵側に向かって徐々に大きくなっている。
【００２４】
低硬度部２０の厚みは、傾斜面２４に沿って、アウトサイドからインサイドに向かって徐々に大きくなっている。高硬度部２２の厚みは、傾斜面２４に沿ってインサイドからアウトサイドに向かって徐々に大きくなっている。
【００２５】
ゴルファーがこのゴルフ靴２を着用し、底部６にゴルファーの体重が加わると、このミッドソール１０が圧縮される。爪先側では低硬度部２０の厚みが大きいので、爪先側の圧縮変形量は大きい。踵側では高硬度部２２の厚みが大きいので、踵側の圧縮変形量は小さい。インサイドでは低硬度部２０の厚みが大きいので、インサイドの圧縮変形量は大きい。アウトサイドでは高硬度部２２の厚みが大きいので、アウトサイドの圧縮変形量は小さい。このミッドソール１０では、体重が加わることで、偏った変形が生じる。ミッドソール１０の変形により、インソール８の上面２８（図１参照）の位置が変位する。爪先側における上面２８の下方への変位は、踵側における上面２８の下方への変位よりも大きい。インサイドにおける上面２８の下方への変位は、アウトサイドにおける上面２８の下方への変位よりも大きい。インソール８は、爪先側から踵側に向かって上向きに傾くと同時に、インサイドからアウトサイドに向かって上向きに傾く。ゴルファーの足も、爪先側から踵側に向かって上向きに傾くと同時に、インサイドからアウトサイドに向かって上向きに傾く。ゴルファーの体重は、主として爪先側且つインサイドにかかる。前述の通り、上級者は、アベレージゴルファーに比べて、爪先側に体重がかかる傾向がある。爪先側に体重をかけやすいゴルフ靴２は、アベレージゴルファーのスイングを、上級者のスイングに近づけうる。爪先側に体重をかけやすいゴルフ靴２は、スイングの安定に寄与しうる。また、ゴルファーはスイングのときに蹴足のインサイドで地面を蹴る。足がインサイドに傾いている場合、ゴルファーは力を地面に伝えやすい。このミッドソール１０は、右利きゴルファーの右足に適している。このゴルフ靴２は、大きなヘッドスピードに寄与する。大きなヘッドスピードは、大きな飛距離を生む。
【００２６】
底部６にゴルファーの体重が加わっても、内側高硬度部２６は大きくは変形しない。この内側高硬度部２６は、足から地面に伝わる力をあまり吸収しない。この内側高硬度部２６により、足から地面に大きな力が伝えられうる。この内側高硬度部２６は、スイングの安定と大きなヘッドスピードとに寄与する。
【００２７】
底部６にゴルファーの体重が加わっても、爪先側高硬度部２７は大きくは変形しない。この爪先側高硬度部２７は、足から地面に伝わる力をあまり吸収しない。この爪先側高硬度部２７により、足から地面に大きな力が伝えられうる。この爪先側高硬度部２７は、スイングの安定と大きなヘッドスピードとに寄与する。
【００２８】
図２から図５の形状が左右反転されたミッドソールは、右利きゴルファーの軸足（すなわち左足）に適している。このミッドソールにより、ゴルファーの軸足は、爪先側から踵側に向かって上向きに傾き、且つ、インサイドからアウトサイドに向かって上向きに傾く。ゴルファーは、軸足で体重を受け止めやすい。このミッドソールも、スイングの安定と大きな飛距離とに寄与する。
【００２９】
本発明において、体重が加わった状態とは、体重が６０ｋｇの着用者が左右の足に均等に体重をかけた状態を意味する。
【００３０】
左足用及び右足用のミッドソールにおいて、ミッドソールの偏った変形が達成されることが好ましい。ミッドソールの偏った変形が、左足用及び右足用のミッドソールのいずれか一方のみで達成されてもよい。
【００３１】
このミッドソール１０では、低硬度部２０及び高硬度部２２の厚みが、傾斜面２４に沿って徐々に変化している。従って、ミッドソール１０の圧縮変形量は、傾斜面２４に沿って連続的に変化する。ミッドソール１０の圧縮変形量は、爪先側から踵側に向かって連続的に変化する。ミッドソール１０の圧縮変形量は、インサイドからアウトサイドに向かって連続的に変化する。圧縮変形量は、急激には変化しない。連続的な変化は、スイングの安定に寄与する。安定したスイングは、飛距離のばらつきを抑制する。安定したスイングはさらに、ゴルフボールの飛行方向のばらつきを抑制する。圧縮変形量が連続的に変化するミッドソール１０は、歩行時の違和感を生じさせない。なお、傾斜面の傾斜角度は、一定であってもよいし、途中で変化していてもよい。低硬度部２０及び高硬度部２２の厚みが、段階的に変化していてもよい。この場合、傾斜面２４の代わりに、階段状の面が採用されてもよい。
【００３２】
高硬度部２２の発泡倍率よりも大きな発泡倍率が低硬度部２０に適用されることにより、硬度の相違が達成されうる。高硬度部２２の基材ポリマーとは異なる基材ポリマーが低硬度部２０に用いられることにより、硬度の相違が達成されうる。高硬度部２２における添加剤の量とは異なる量の添加剤が低硬度部２０に添加されることにより、硬度の相違が達成されうる。高硬度部２２の添加剤とは異なる添加剤が低硬度部２０に配合されることにより、硬度の相違が達成されうる。
【００３３】
図２から明らかなように、低硬度部２０の平面形状は、実質的に楕円である。楕円の低硬度部２０を備えたミッドソール１０では、前後方向においても、圧縮変形量が急激には変化しない。楕円の低硬度部２０は、スイングの安定に寄与する。平面形状が長円である低硬度部も、スイングの安定に寄与する。
【００３４】
図２において符号Ａで示された二点鎖線は、ミッドソール１０の長さ線である。長さ線Ａは、ミッドソール１０の輪郭内に画かれうる最長の線分である。長さ線Ａは、爪先側端３０から踵側端３２に至っている。図２において、長さ線Ａの長さが符号Ｌによって示されている。図２において符号Ｂで示された二点鎖線は、幅線Ｂである。幅線Ｂは、長さ線Ａと直交している。この幅線Ｂまでの爪先側端３０からの距離は、（Ｌ／４）である。この幅線Ｂは、低硬度部２０を通過している。
【００３５】
図２において符合Ｐで示された位置は、長さ線Ａ上において爪先側端から踵側端へこの長さ線の距離の２５％を移動した位置である。位置Ｐは、一箇所の点である。位置Ｐは、長さ線Ａ上の点である。位置Ｐは、長さ線Ａと幅線Ｂとの交点である。この位置Ｐに、低硬度部２０、高硬度部２２及び傾斜面２４が存在している。
【００３６】
スイングにおいて最も力がかかるのは、母趾球の近傍である。前述の位置Ｐに低硬度部２０、高硬度部２２及び傾斜面２４が存在することにより、ゴルファーは力を地面に伝えやすい。長さＬは、通常は１５０ｍｍから３２０ｍｍである。
【００３７】
ゴルファーが力を地面に伝えやすいとの観点から、長さ線Ａに沿った傾斜面２４の距離は、５ｍｍ以上が好ましく、２０ｍｍ以上がより好ましく、５０ｍｍ以上が特に好ましい。効果の観点からはこの距離の上限に制限は無いが、通常は２００ｍｍ以下、さらには１０５ｍｍ以下である。
【００３８】
傾斜面２４は、低硬度部２０の下面と高硬度部２２の上面との境界面である。低硬度部２０の下面が、傾斜面２４と一致している。高硬度部２２の上面が、傾斜面２４と一致している。低硬度部２０の下面の全てが、傾斜面２４と一致している。高硬度部２２の上面の全てが、傾斜面２４と一致している。
【００３９】
図３において両矢印Ｗａで示されているのは、傾斜面２４の左右方向幅である。幅Ｗａは、幅線Ｂに沿った断面において測定される。幅Ｗａは、５ｍｍ以上１００ｍｍ以下が好ましい。幅Ｗａが５ｍｍ以上に設定されることにより、圧縮変形量の急激な変化が抑制される。この観点から、幅Ｗａは２０ｍｍ以上がより好ましく、３０ｍｍ以上が特に好ましい。幅Ｗａが１００ｍｍ以下に設定されたゴルフ靴２では、ゴルファーが力を地面に伝えやすい。この観点から、幅Ｗａは８０ｍｍ以下がより好ましく、７０ｍｍ以下が特に好ましい。なお、幅線Ｂに沿ったミッドソール１０の幅Ｗは、通常は８０ｍｍ以上１２０ｍｍ以下である。
【００４０】
図３において両矢印Ｗｂで示されているのは、内側高硬度部２６のうち上面が平坦な部位の幅である。幅Ｗｂは、幅線Ｂに沿って測定される。幅Ｗｂは、３ｍｍ以上２５ｍｍ以下が好ましい。幅Ｗｂが３ｍｍ以上に設定されることにより、足から地面へ十分な力が伝わる。この観点から、幅Ｗｂは５ｍｍ以上がより好ましく、７ｍｍ以上がさらに好ましく、１０ｍｍ以上が特に好ましい。幅Ｗｂが２５ｍｍ以下に設定されることにより、足が十分に傾斜する。この観点から、幅Ｗｂは２２ｍｍ以下がより好ましく、１８ｍｍ以下が特に好ましい。
【００４１】
図３において両矢印Ｗｃで示されているのは、内側高硬度部２６の幅である。幅Ｗｃは、幅線Ｂに沿って測定される。幅Ｗｃは、１３ｍｍ以上３５ｍｍ以下が好ましい。幅Ｗｃが１３ｍｍ以上に設定されることにより、足から地面へ十分な力が伝わる。この観点から、幅Ｗｃは１５ｍｍ以上がより好ましく、１７ｍｍ以上がさらに好ましく、２０ｍｍ以上が特に好ましい。幅Ｗｃが３５ｍｍ以下に設定されることにより、足が十分に傾斜する。この観点から、幅Ｗｃは３２ｍｍ以下がより好ましく、２８ｍｍ以下が特に好ましい。
【００４２】
図３において両矢印Ｗｄで示されているのは、低硬度部２０のアウトサイド端とミッドソールのアウトサイド端との距離である。距離Ｗｄは、１３ｍｍ以上、さらには１５ｍｍ以上、さらには１７ｍｍ以上、さらには２０ｍｍ以上が好ましい。距離Ｗｄは、３５ｍｍ以下、さらには３２ｍｍ以下、さらには２８ｍｍ以下が好ましい。
【００４３】
図５において両矢印Ｗ１で示されているのは、傾斜面２４の縦方向幅である。幅Ｗ１は、長さ線Ａに沿った断面において測定される。幅Ｗ１は、１０ｍｍ以上１５０ｍｍ以下が好ましい。幅Ｗ１が１０ｍｍ以上に設定されることにより、圧縮変形量の急激な変化が抑制される。この観点から、幅Ｗ１は５０ｍｍ以上がより好ましく、８０ｍｍ以上が特に好ましい。幅Ｗ１が１５０ｍｍ以下に設定されたゴルフ靴２では、ゴルファーが力を地面に伝えやすい。この観点から、幅Ｗ１は１３０ｍｍ以下がより好ましく、１２０ｍｍ以下が特に好ましい。
【００４４】
図５において両矢印Ｗ２で示されているのは、爪先側高硬度部２７のうち上面が平坦な部位の幅である。幅Ｗ２は、長さ線Ａに沿って測定される。幅Ｗ２は、３ｍｍ以上２５ｍｍ以下が好ましい。幅Ｗ２が３ｍｍ以上に設定されることにより、足から地面へ十分な力が伝わる。この観点から、幅Ｗ２は５ｍｍ以上がより好ましく、７ｍｍ以上がさらに好ましく、１０ｍｍ以上が特に好ましい。幅Ｗ２が２５ｍｍ以下に設定されることにより、足が十分に傾斜する。この観点から、幅Ｗ２は２２ｍｍ以下がより好ましく、１８ｍｍ以下が特に好ましい。
【００４５】
図５において両矢印Ｗ３で示されているのは、爪先側高硬度部２７の幅である。幅Ｗ３は、長さ線Ａに沿って測定される。幅Ｗ３は、１３ｍｍ以上３５ｍｍ以下が好ましい。幅Ｗ３が１３ｍｍ以上に設定されることにより、足から地面へ十分な力が伝わる。この観点から、幅Ｗ３は１５ｍｍ以上がより好ましく、１７ｍｍ以上がさらに好ましく、２０ｍｍ以上が特に好ましい。幅Ｗ３が３５ｍｍ以下に設定されることにより、足が十分に傾斜する。この観点から、幅Ｗ３は３２ｍｍ以下がより好ましく、２８ｍｍ以下が特に好ましい。
【００４６】
図３において両矢印Ｔで示されているのは、ミッドソール１０の厚みである。厚みＴは、幅線Ｂに沿った断面において測定される。厚みＴは、側壁１８を除く部位の最大厚みである。厚みＴは、２ｍｍ以上、さらには５ｍｍ以上である。厚みＴは、２５ｍｍ以下、さらには２０ｍｍ以下、さらには１５ｍｍ以下である。図４において両矢印ｔで示されているのは、低硬度部２０の最大厚みである。インソール８の上面が十分に傾斜するとの観点から、厚みＴに対する厚みｔの比率は３０％以上、さらには４０％以上、さらには５０％以上、さらには８０％以上が好ましい。本実施形態では、低硬度部２０は底面３４に露出していない。
【００４７】
底面３４に低硬度部２０と高硬度部２２との境界線が存在すると、この境界線が亀裂等の損傷の原因となることがある。ミッドソール１０の耐久性の観点から、境界線が底面３４に存在しないことが好ましい。換言すれば、低硬度部２０が底面３４に露出しないことが好ましい。耐久性の観点から、厚みＴに対する厚みｔの比率は１００％未満が好ましく、９８％以下がより好ましく、９５％以下が特に好ましい。
【００４８】
図３において両矢印θ１で示されているのは、左右方向における、水平方向に対する傾斜面２４の角度である。角度θ１は、幅線Ｂに沿った断面において測定される。角度θ１は、３度（degree）以上６０度以下が好ましい。角度θ１が３度以上に設定されたゴルフ靴２では、ゴルファーが力を地面に伝えやすい。この観点から、角度θ１は５度以上がより好ましく、７度以上が特に好ましい。角度θ１が６０度以下に設定さることにより、圧縮変形量の急激な変化が抑制される。この観点から、角度θ１は５０度以下がより好ましく、４０度以下がさらに好ましく、２０度以下が特に好ましい。
【００４９】
図５において両矢印θ２で示されているのは、縦方向における、水平方向に対する傾斜面２４の角度である。角度θ２は、長さ線Ａに沿った断面において測定される。角度θ２は、３度（degree）以上６０度以下が好ましい。角度θ２が３度以上に設定されたゴルフ靴２では、ゴルファーが力を地面に伝えやすい。この観点から、角度θ２は５度以上がより好ましく、７度以上が特に好ましい。角度θ２が６０度以下に設定さることにより、圧縮変形量の急激な変化が抑制される。この観点から、角度θ２は５０度以下がより好ましく、４０度以下がさらに好ましく、２０度以下が特に好ましい。
【００５０】
低硬度部２０の硬度ＨＬの、高硬度部２２の硬度ＨＨに対する比（ＨＬ／ＨＨ）は、０．２０以上０．９０以下が好ましい。比（ＨＬ／ＨＨ）が０．２０以上に設定されることにより、圧縮変形量の急激な変化が抑制される。この観点から、比（ＨＬ／ＨＨ）は０．３０以上がより好ましく、０．４０以上が特に好ましい。比（ＨＬ／ＨＨ）が０．９０以下に設定されることにより、脚が傾斜しやすい。この観点から、比（ＨＬ／ＨＨ）は０．８５以下がより好ましく、０．８０以下が特に好ましい。低硬度部２０の硬度ＨＬは、２０以上７０以下が好ましい。高硬度部２２の硬度ＨＨは、４０以上８５以下が好ましい。硬度は、日本ゴム協会標準規格に準拠して、高分子計器株式会社のアスカーＣ型硬度計にて測定される。
【００５１】
図３において両矢印Ｔａ１で示されているのは、幅線Ｂに沿った断面におけるインサイド端での低硬度部２０の厚みである。図３の実施形態では、厚みＴａ１は、幅線Ｂに沿った断面における低硬度部２０の最大厚みに等しい。図３において両矢印Ｔａ２で示されているのは、幅線Ｂに沿った断面における位置Ｐでの低硬度部２０の厚みである。図３において両矢印Ｔａ３で示されているのは、幅線Ｂに沿った断面におけるアウトサイド端での低硬度部２０の厚みである。図３の実施形態では、厚みＴａ３は、幅線Ｂに沿った断面における低硬度部２０の最小厚みに等しい。
【００５２】
図４において両矢印Ｔｂ１で示されているのは、IV−IV線に沿った断面におけるインサイド端での低硬度部２０の厚みである。図４の実施形態では、厚みＴｂ１は、低硬度部２０の最大厚みに等しい。図４において両矢印Ｔｂ２で示されているのは、IV−IV線に沿った断面における位置Ｐでの低硬度部２０の厚みである。図４において両矢印Ｔｂ３で示されているのは、IV−IV線に沿った断面におけるアウトサイド端での低硬度部２０の厚みである。図４の実施形態では、厚みＴｂ３は、IV−IV線に沿った断面における低硬度部２０の最小厚みに等しい。図４の実施形態では、厚みＴｂ３は、０である。
【００５３】
図５において両矢印Ｔｃ１で示されているのは、長さ線Ａに沿った断面における爪先側端での低硬度部２０の厚みである。図５の実施形態では、厚みＴｃ１は、長さ線Ａに沿った断面における低硬度部２０の最大厚みに等しい。図５において両矢印Ｔｃ２で示されているのは、長さ線Ａに沿った断面における位置Ｐでの低硬度部２０の厚みである。図５において両矢印Ｔｃ３で示されているのは、長さ線Ａに沿った断面におけるアウトサイド端での低硬度部２０の厚みである。厚みＴｃ３は、長さ線Ａに沿った断面における低硬度部２０の最小厚みに等しい。厚みＴａ２と厚みＴｂ２と厚みＴｃ２とは、等しい。つまり、Ｔａ２＝Ｔｂ２＝Ｔｃ２である。
【００５４】
爪先側に体重をかかりやすくする観点から、厚みＴｃ１と厚みＴｃ２との差（Ｔｃ１−Ｔｃ２）は、１ｍｍ以上が好ましく、２ｍｍ以上がより好ましい。ミッドソール１０の寸法上の制約の観点から、差（Ｔｃ１−Ｔｃ２）は５ｍｍ以下が好ましい。爪先側に体重をかかりやすくする観点から、厚みＴｃ２と厚みＴｃ３との差（Ｔｃ２−Ｔｃ３）は、０ｍｍ以上が好ましく、０ｍｍを超えるのがより好ましく、１ｍｍ以上がより好ましく、２ｍｍ以上が更に好ましい。ミッドソール１０の寸法上の制約の観点から、差（Ｔｃ２−Ｔｃ３）は５ｍｍ以下が好ましい。
【００５５】
インサイドに体重をかかりやすくする観点から、厚みＴａ１と厚みＴａ２との差（Ｔａ１−Ｔａ２）は、１ｍｍ以上が好ましく、２ｍｍ以上がより好ましい。ミッドソール１０の寸法上の制約の観点から、差（Ｔａ１−Ｔａ２）は５ｍｍ以下が好ましい。インサイドに体重をかかりやすくする観点から、厚みＴａ２と厚みＴａ３との差（Ｔａ２−Ｔａ３）は、０ｍｍ以上が好ましく、０ｍｍを超えるのがより好ましく、１ｍｍ以上がより好ましく、２ｍｍ以上が更に好ましい。ミッドソール１０の寸法上の制約の観点から、差（Ｔａ２−Ｔａ３）は５ｍｍ以下が好ましい。
【００５６】
図６は、図２のミッドソール１０の製造方法の一例が説明されるための断面図である。図６は、幅線Ｂに沿った断面図である。この製造方法では、まず第一部品３６、第二部品３８及び第三部品４０が準備される。第一部品３６、第二部品３８及び第三部品４０は、気泡を含むポリマー成形体からなる。第一部品３６の硬度は、第二部品３８及び第三部品４０の硬度よりも小さい。第三部品４０の輪郭は、ミッドソール１０の輪郭に類似している。第三部品４０は、打ち抜きよって形成された穴４２を備えている。
【００５７】
この製造方法では、第一部品３６と第二部品３８とが貼り合わされる。第一部品３６と第二部品３８との境界は、傾斜する。次に、第一部品３６及び第二部品３８が、第三部品４０の穴４２に挿入される。次に、第一部品３６、第二部品３８及び第三部品４０が金型に投入され、高温下で圧縮される。各部品３６、３８、４０は、互いに接合される。この製造方法では、第一部品３６が低硬度部２０を形成し、第二部品３８及び第三部品４０が高硬度部２２を形成する。第一部品３６及び第二部品３８が圧縮され、かつ第三部品４０も圧縮された後、この第三部品４０に第一部品３６及び第二部品３８が挿入されてもよい。
【００５８】
図７は、図２のミッドソール１０の製造方法の他の例が説明されるための断面図である。この製造方法では、まず第一部品４４及び第二部品４６が準備される。第一部品４４及び第二部品４６は、気泡を含むポリマー成形体からなる。第一部品４４及び第二部品４６は、既に圧縮されている。第一部品４４の硬度は、第二部品４６の硬度よりも小さい。第二部品４６の輪郭は、ミッドソール１０の輪郭に類似している。第二部品４６は、窪み４８を備えている。窪み４８の上面５０は、傾斜している。
【００５９】
この製造方法では、第一部品４４が第二部品４６の窪み４８に挿入され、両者が貼り合わされる。第一部品４４と第二部品４６との境界は、傾斜する。この製造方法では、第一部品４４が低硬度部２０を形成し、第二部品４６が高硬度部２２を形成する。
【００６０】
アウトソール１２に低硬度部及び高硬度部が設けられることにより、足の傾斜が達成されてもよい。爪先側における突起１４の密度が、踵側における突起１４の密度よりも小さくされることで、足の傾斜が達成されてもよい。インサイドにおける突起１４の密度が、アウトサイドにおける突起１４の密度よりも小さくされることで、足の傾斜が達成されてもよい。
【００６１】
図８から図１０は、本発明の他の実施形態に係るゴルフ靴のミッドソール５０が示された断面図である。このミッドソール５０の平面形状は、図２に示されたミッドソール１０の平面形状と同等である。図８には、幅線Ｂに沿った断面が示されている。この図８において、左側がインサイドであり、右側がアウトサイドである。図９には、図２のIV−IV線と同じ位置の線に沿った断面が示されている。この図９において、左側が爪先側且つインサイドであり、右側が踵側且つアウトサイドである。図１０には、長さ線Ａに沿った断面が示されている。この図１０において、左側が爪先側であり、右側が踵側である。
【００６２】
このミッドソール５０は、低硬度部５４、高硬度部５６、傾斜面５８及び平坦面６０を備えている。平坦面６０は、傾斜面５８に連続している。平坦面６０は、ミッドソール５０の底面に露出している。傾斜面５８の上側であって、傾斜面５８の爪先側且つインサイドには、低硬度部５４が存在している。傾斜面５８の下側であって、傾斜面５８の踵側且つアウトサイドには、高硬度部５６が存在している。
【００６３】
このミッドソール５０でも、低硬度部５４の圧縮変形量と高硬度部５６の圧縮変形量との相違に起因して、足が傾斜する。この傾斜により、ゴルファーは、十分な力を地面に伝えることができる。このミッドソール５０でも、圧縮変形量は、傾斜面５８に沿って連続的に変化する。圧縮変形量は、爪先側から踵側に向かって連続的に変化する。圧縮変形量は、インサイドからアウトサイドに向かって連続的に変化する。連続的な変化は、スイングの安定に寄与する。
【００６４】
図１１から図１３は、本発明のさらに他の実施形態に係るゴルフ靴のミッドソール６２が示された断面図である。このミッドソール６２の平面形状は、図２に示されたミッドソール１０の平面形状と同等である。図１１には、幅線Ｂに沿った断面が示されている。この図１１において、左側がインサイドであり、右側がアウトサイドである。図１２には、図２のIV−IV線と同じ位置の線に沿った断面が示されている。この図１２において、左側が爪先側且つインサイドであり、右側が踵側且つアウトサイドである。図１３には、長さ線Ａに沿った断面が示されている。この図１３において、左側が爪先側であり、右側が踵側である。
【００６５】
このミッドソール６２は、低硬度部６４、高硬度部６６、傾斜面６８、第一平坦面７０及び第二平坦面７２を備えている。第一平坦面７０及び第二平坦面７２は、傾斜面６８と連続している。傾斜面６８の上側であって、傾斜面６８の爪先側且つインサイドには、低硬度部６４が存在している。傾斜面６８の下側であって、傾斜面６８の踵側且つアウトサイドには、高硬度部６６が存在している。第一平坦面７０の下側には、高硬度部６６が存在している。第二平坦面７２の下側には、高硬度部６６が存在している。
【００６６】
このミッドソール６２でも、低硬度部６４の圧縮変形量と高硬度部６６の圧縮変形量との相違に起因して、足が傾斜する。この傾斜により、ゴルファーは、十分な力を地面に伝えることができる。このミッドソール６２でも、圧縮変形量は、傾斜面６８に沿って連続的に変化する。圧縮変形量は、爪先側から踵側に向かって連続的に変化する。圧縮変形量は、インサイドからアウトサイドに向かって連続的に変化する。連続的な変化は、スイングの安定に寄与する。
【００６７】
図１４は、本発明のさらに他の実施形態に係るゴルフ靴のミッドソール７４が示された平面図である。この図１４には、長さ線Ａ及び幅線Ｂが示されている。このミッドソール７４は、ベース７６と、このベース７６の外縁に位置する側壁７８とを備えている。このミッドソール７４は、右足用である。左足用のミッドソールは、図１４に示された形状が左右反転した形状を呈する。
【００６８】
このミッドソール７４の幅線Ｂに沿った断面形状は、図３に示されたミッドソール１０の断面形状と同等である。このミッドソール７４の、図２のIV−IV線に相当する線に沿った断面形状は、図４に示されたミッドソール１０の断面形状と同等である。このミッドソール７４の長さ線Ａに沿った断面形状は、図５で示されたミッドソール１０の断面形状と同等である。このミッドソール７４は、低硬度部８０及び高硬度部８２を備えている。低硬度部８０と高硬度部８２との境界は、傾斜面を含んでいる。このミッドソール７４でも、低硬度部８０の圧縮変形量と高硬度部８２の圧縮変形量との相違に起因して、足が傾斜する。この傾斜により、ゴルファーは、十分な力を地面に伝えることができる。このミッドソール７４でも、圧縮変形量は、傾斜面に沿って連続的に変化する。圧縮変形量は、爪先側から踵側に向かって連続的に変化する。更に、圧縮変形量は、インサイドからアウトサイドに向かって連続的に変化する。連続的な変化は、スイングの安定に寄与する。このミッドソール７４でも、爪先側高硬度部８４は、足から地面に伝わる力をあまり吸収しない。このミッドソール７４でも、内側高硬度部８６は、足から地面に伝わる力をあまり吸収しない。
【００６９】
図１４から明らかなように、低硬度部８０の平面形状は八角形である。八角形の低硬度部８０を備えたミッドソール７４では、前後方向における圧縮変形量の急激な変化が抑制されうる。八角形の低硬度部８０は、スイングの安定に寄与する。平面形状が六角形、七角形、九角形、十角形である低硬度部も、スイングの安定に寄与しうる。
【００７０】
図１５は、本発明のさらに他の実施形態に係るゴルフ靴のミッドソール８８が示された平面図である。この図１５には、長さ線Ａ及び幅線Ｂが示されている。このミッドソール８８は、ベース８９と、このベース８９の外縁に位置する側壁９１とを備えている。このミッドソール８８は、右足用である。左足用のミッドソールは、図１５に示された形状が左右反転した形状を呈する。
【００７１】
このミッドソール８８の幅線Ｂに沿った断面形状は、図３に示されたミッドソール１０の断面形状と同等である。このミッドソール８８の、図２のIV−IV線に相当する線に沿った断面形状は、図４に示されたミッドソール１０の断面形状と同等である。このミッドソール８８の長さ線Ａに沿った断面形状は、図５で示されたミッドソール１０の断面形状と同等である。このミッドソール８８は、低硬度部９０及び高硬度部９２を備えている。低硬度部９０と高硬度部９２との境界は、傾斜面を含んでいる。低硬度部９０の平面形状は、略半楕円である。このミッドソール８８でも、低硬度部９０の圧縮変形量と高硬度部９２の圧縮変形量との相違に起因して、足が傾斜する。この傾斜により、ゴルファーは、十分な力を地面に伝えることができる。このミッドソール８８でも、圧縮変形量は傾斜面に沿って連続的に変化する。圧縮変形量は、爪先側から踵側に向かって連続的に変化する。更に、圧縮変形量は、インサイドからアウトサイドに向かって連続的に変化する。連続的な変化は、スイングの安定に寄与する。このミッドソール８８でも、爪先側高硬度部９４は、足から地面に伝わる力をあまり吸収しない。このミッドソール８８でも、内側高硬度部９６は、足から地面に伝わる力をあまり吸収しない。
【００７２】
図１６は、本発明のさらに他の実施形態に係るゴルフ靴のミッドソール９８が示された平面図である。この図１６には、長さ線Ａ及び幅線Ｂが示されている。このミッドソール９８は、ベース１００と、このベース１００の外縁に位置する側壁１０２とを備えている。このミッドソール９８は、右足用である。左足用のミッドソールは、図１６に示された形状が左右反転した形状を呈する。
【００７３】
このミッドソール９８の幅線Ｂに沿った断面形状は、図３に示されたミッドソール１０の断面形状と同等である。このミッドソール９８の、図２のIV−IV線に相当する線に沿った断面形状は、図４に示されたミッドソール１０の断面形状と同等である。このミッドソール９８の長さ線Ａに沿った断面形状は、図５で示されたミッドソール１０の断面形状と同等である。このミッドソール９８は、低硬度部１０４及び高硬度部１０６を備えている。低硬度部１０４と高硬度部１０６との境界は、傾斜面を含んでいる。低硬度部１０４の平面形状は、矩形である。このミッドソール９８でも、低硬度部１０４の圧縮変形量と高硬度部１０６の圧縮変形量との相違に起因して、足が傾斜する。この傾斜により、ゴルファーは、十分な力を地面に伝えることができる。このミッドソール９８でも、圧縮変形量は、傾斜面に沿って連続的に変化する。圧縮変形量は、爪先側から踵側に向かって連続的に変化する。圧縮変形量は、インサイドからアウトサイドに向かって連続的に変化する。連続的な変化は、スイングの安定に寄与する。このミッドソール９８でも、爪先側高硬度部１０８は、足から地面に伝わる力をあまり吸収しない。このミッドソール９８でも、内側高硬度部１１０は、足から地面に伝わる力をあまり吸収しない。
【実施例】
【００７４】
以下、実施例によって本発明の効果が明らかにされるが、この実施例の記載に基づいて本発明が限定的に解釈されるべきではない。
【００７５】
［実施例１］
図２に示された平面形状を有するとともに、図３、図４及び図５に示された断面形状を有するミッドソールを作成した。このミッドソールでは、長さＬは２８０ｍｍであり、幅Ｗは１００ｍｍであり、厚みＴは６ｍｍであり、幅Ｗａが６０ｍｍであり、幅Ｗ１（図５参照）が９０ｍｍであり、幅Ｗ４（図２参照）が２５ｍｍであり、幅Ｗ５（図２参照）が４５ｍｍである。このミッドソールは、低硬度部及び高硬度部を備えている。低硬度部と高硬度部との境界は、傾斜面を含む。幅線Ｂに沿った傾斜面の幅は、６０ｍｍである。高硬度部の硬度ＨＨは、６０である。低硬度部の硬度ＨＬは、４０である。厚みＴａ１、厚みＴａ２、厚みＴａ３、厚みＴｂ１、厚みＴｂ２、厚みＴｂ３、厚みＴｃ１、厚みＴｃ２及び厚みＴｃ３は、下記の表１で示される通りとされた。高硬度部は、爪先側高硬度部を含む。長さ線Ａに沿った爪先側高硬度部の幅Ｗ４は、２５ｍｍである。このミッドソールにアウトソール、インソール及びアッパーを取り付け、実施例１のゴルフ靴を得た。
【００７６】
［実施例２］
傾斜面の左右方向における傾斜を無くし、傾斜面の傾斜方向を前後方向のみとし、各部寸法を表１に示される通りとした他は実施例１と同様にして、実施例２のゴルフ靴を得た。
【００７７】
［比較例］
傾斜面を水平面に変更し、各部寸法を表１に示される通りとした他は実施例１と同様にして、比較例のゴルフ靴を得た。図１７は、比較例のミッドソールの幅線Ｂに沿った断面図である。図１８は、比較例のミッドソールの、図２のIV−IV線に相当する線に沿った断面図である。図１９は、比較例のミッドソールの長さ線Ａに沿った断面図である。比較例のミッドソール１１２は、低硬度部１１４と高硬度部１１６と水平面１１８とを有する。低硬度部１１４の厚みは、一定である。
【００７８】
［打撃テスト］
ゴルフ靴をゴルファーに着用させ、ドライバーでゴルフボールを１０回打撃させた。そして、ヘッドスピード、飛距離、飛距離ばらつき、フェース角ばらつき及び打球方向ばらつきを測定した。この結果が、下記の表１に示されている。この表１において、ヘッドスピード及び飛距離は、平均値である。
【００７９】
【表１】
2008132008.tif 000003
【００８０】
表１から明らかなように、実施例のゴルフ靴により、大きなヘッドスピードが得られ、かつ大きな飛距離が得られる。更に、実施例のゴルフ靴は、飛距離及び打球方向の安定に寄与する。この評価結果から、本発明の優位性は明らかである。
【産業上の利用可能性】
【００８１】
足を傾斜させうる靴は、ゴルフ以外の種々のスポーツにも適している。
【図面の簡単な説明】
【００８２】
【図１】図１は、本発明の一実施形態に係るゴルフ靴が示された一部切り欠き側面図である。
【図２】図２は、図１のゴルフ靴のミッドソールが示された平面図である。
【図３】図３は、図２のIII−III線に沿った拡大断面図である。
【図４】図４は、図２のIV−IV線に沿った拡大断面図である。
【図５】図５は、図２のＶ−Ｖ線に沿った拡大断面図である。
【図６】図６は、図２のミッドソールの製造方法の一例が説明されるための断面図である。
【図７】図７は、図２のミッドソールの製造方法の他の例が説明されるための断面図である。
【図８】図８は、本発明の他の実施形態に係るゴルフ靴のミッドソールが示された断面図である。
【図９】図９は、図８のミッドソールの他の断面図である。
【図１０】図１０は、図８のミッドソールのさらに他の断面図である。
【図１１】図１１は、本発明のさらに他の実施形態に係るゴルフ靴のミッドソールが示された断面図である。
【図１２】図１２は、図１１のミッドソールの他の断面図である。
【図１３】図１３は、図１１のミッドソールのさらに他の断面図である。
【図１４】図１４は、本発明のさらに他の実施形態に係るゴルフ靴のミッドソールが示された平面図である。
【図１５】図１５は、本発明のさらに他の実施形態に係るゴルフ靴のミッドソールが示された平面図である。
【図１６】図１６は、本発明のさらに他の実施形態に係るゴルフ靴のミッドソールが示された平面図である。
【図１７】図１７は、比較例に係るゴルフ靴のミッドソールが示された断面図である。
【図１８】図１８は、図１７のミッドソールの他の断面図である。
【図１９】図１９は、図１７のミッドソールのさらに他の断面図である。
【符号の説明】
【００８３】
２・・・ゴルフ靴
４・・・アッパー
６・・・底部
８・・・インソール
１０、５０、６２、７４、８８、９８、１１２・・・ミッドソール
１２・・・アウトソール
１４・・・突起
１６・・・ベース
１８・・・側壁
２０、５４、６４、８０、９０、１０４、１１４・・・低硬度部
２２、５６、６６、８２、９２、１０６、１１６・・・高硬度部
２４、５８、６８・・・傾斜面
２６、８６、９６、１１０・・・内側高硬度部
２７、８４、９４、１０８・・・爪先側高硬度部
【図１】
2008132008.tif 000004
【図２】
2008132008.tif 000005
【図３】
2008132008.tif 000006
【図４】
2008132008.tif 000007
【図５】
2008132008.tif 000008
【図６】
2008132008.tif 000009
【図７】
2008132008.tif 000010
【図８】
2008132008.tif 000011
【図９】
2008132008.tif 000012
【図１０】
2008132008.tif 000013
【図１１】
2008132008.tif 000014
【図１２】
2008132008.tif 000015
【図１３】
2008132008.tif 000016
【図１４】
2008132008.tif 000017
【図１５】
2008132008.tif 000018
【図１６】
2008132008.tif 000019
【図１７】
2008132008.tif 000020
【図１８】
2008132008.tif 000021
【図１９】
2008132008.tif 000022